(57)【要約】  高水準の密閉条件を満足しながら十分な冷却性能を備えるディスプレイ装置を提供する。  画像を表示する液晶パネルを含む液晶モジュール；前記液晶モジュールの後方に配置され、前記液晶パネルの動作を制御する少なくとも一つの回路基板；前記液晶モジュールと前記少なくとも一つの回路基板がメインチャンバー内に密閉されるように、前記液晶モジュールと前記少なくも一つの回路基板を収容するケース；前記メインチャンバーを第１のチャンバーと第２のチャンバーとに区画するために前記チャンバー内に配置されたフレーム；及び前記フレーム上に配置され、ガスを前記第１のチャンバーと前記第２のチャンバーとの間に循環させる送風ファン；を含むことを特徴とするディスプレイ装置を構成する。
2014512024.tif 000002
【特許請求の範囲】
【請求項１】
画像を表示する液晶パネルを含む液晶モジュール；
前記液晶モジュールの後方に配置され、前記液晶パネルの動作を制御する少なくとも一つの回路基板；
前記液晶モジュールと前記少なくとも一つの回路基板がメインチャンバー内に密閉されるように、前記液晶モジュールと前記少なくも一つの回路基板を収容するケース；
前記メインチャンバーを第１のチャンバーと第２のチャンバーとに区画するために前記チャンバー内に配置されたフレーム；及び
前記フレーム上に配置され、ガスを前記第１のチャンバーと前記第２のチャンバーとの間に循環させる送風ファン；を含むことを特徴とするディスプレイ装置。
【請求項２】
前記ケースは、複数の側壁を含み、開放された前面及び後面を有するフロントケース；及び
前記フロントケースの開放された後面に結合されるバックケース；を含むことを特徴とする、請求項１に記載のディスプレイ装置。
【請求項３】
前記フロントケースは、前記バックケースが前記フロントケースに結合されるように、前記の開放された後面の枠に沿って形成された第１の結合部を含み、
前記第１の結合部と前記バックケースは、第１のシーリング部材によって互いに密閉されることを特徴とする、請求項２に記載のディスプレイ装置。
【請求項４】
前記液晶モジュールを保護するために前記液晶モジュールの前方に配置された保護ガラスをさらに含むことを特徴とする、請求項１に記載のディスプレイ装置。
【請求項５】
前記ケースは、開放された前面及び後面を有するもので、前記保護ガラスの前面の枠に結合される第１のフロントケースと、側面部を形成して前記第１のフロントケースに結合される第２のフロントケースと、を含むフロントケース；及び
前記フロントケースの開放された後面に結合されるバックケース；を含むことを特徴とする、請求項４に記載のディスプレイ装置。
【請求項６】
第２のシーリング部材をさらに含み、
前記保護ガラスと前記第１のフロントケースは、前記第２のシーリング部材によって互いに密閉されることを特徴とする、請求項５に記載のディスプレイ装置。
【請求項７】
前記フレームは、モールドフレームを含むことを特徴とする、請求項１に記載のディスプレイ装置。
【請求項８】
前記フレームは、少なくとも二つの横フレーム部；及び
前記横フレーム部より長く形成された少なくとも二つの縦フレーム部；を含むことを特徴とする、請求項７に記載のディスプレイ装置。
【請求項９】
前記フレームは、前記メインチャンバーを前記フレームの内部に配置された前記第１のチャンバーと、前記フレームの外部に配置された前記第２のチャンバーとに区画することを特徴とする、請求項１に記載のディスプレイ装置。
【請求項１０】
前記第１のチャンバー内に配置された各要素は、前記第２のチャンバー内に配置された各要素より多量の熱を発生することを特徴とする、請求項１に記載のディスプレイ装置。
【請求項１１】
前記フレームは、前記液晶モジュールの後面に接する基板装着部を含み、
前記基板装着部は、前記液晶モジュールの後面を露出させる少なくとも一つの開口部を含むことを特徴とする、請求項１に記載のディスプレイ装置。
【請求項１２】
前記送風ファンは、第１の横フレーム部上に配置され、前記第１のチャンバーから前記第２のチャンバーにガスをガイドする第１の送風ファン；及び
第２の横フレーム部上に配置され、前記第２のチャンバーから前記第１のチャンバーにガスをガイドする第２の送風ファン；を含むことを特徴とする、請求項８に記載のディスプレイ装置。
【請求項１３】
前記第１の送風ファン及び第２の送風ファンは、それぞれ少なくとも一つの軸流ファンを含むことを特徴とする、請求項１２に記載のディスプレイ装置。
【請求項１４】
前記ディスプレイ装置内のガスの循環は、複数のループを形成することを特徴とする、請求項１に記載のディスプレイ装置。
【請求項１５】
前記複数のループは、ガスが第１の方向に回転する第１のループ；及び
ガスが前記第１の方向と反対の第２の方向に回転する第２のループ；を含むことを特徴とする、請求項１４に記載のディスプレイ装置。
【請求項１６】
前記チャンバーはＩＰ６６以上の等級で密閉されることを特徴とする、請求項１に記載のディスプレイ装置。
【請求項１７】
前記ケースは金属で形成されたことを特徴とする、請求項１に記載のディスプレイ装置。
【請求項１８】
複数の側壁を含み、開放された前面と後面を有するフロントケース；
前記フロントケースの開放された後面に結合されるバックケース；
前記フロントケースの開放された前面に結合され、前記フロントケース、前記バックケースと共にメインチャンバーを形成する保護ガラス；
前記メーンチャンバー内に配置されるもので、画像を表示する液晶モジュール、及び前記液晶モジュールの動作を制御する少なくとも一つの回路基板；
前記フロントケースと前記バックケースとの間の密閉を提供する第１のシーリング部材；
前記フロントケースと前記保護ガラスとの間の密閉を提供する第２のシーリング部材；及び
前記メインチャンバーを前記メインチャンバーの中心部内に配置される第１のチャンバーと前記第１のチャンバーの周囲に配置される第２のチャンバーとに区画し、ガスを前記第１のチャンバーと前記第２のチャンバーとの間に循環させる冷却装置；を含むことを特徴とするディスプレイ装置。
【請求項１９】
前記少なくとも一つの回路基板は前記第１のチャンバー内に配置されることを特徴とする、請求項１８に記載のディスプレイ装置。
【請求項２０】
前記冷却装置は、前記メインチャンバー内でのガスの流動をガイドするフレーム；及び
前記ガスの流動を発生させるように前記フレーム上に配置される送風ファン；を含むことを特徴とする、請求項１８に記載のディスプレイ装置。
【請求項２１】
前記フレームは、前記液晶モジュールの後面と前記バックケースの前面との間に配置され、前記液晶モジュールの後面と前記バックケースの前面に接することを特徴とする、請求項２０に記載のディスプレイ装置。
【請求項２２】
前記第１のチャンバーと前記第２のチャンバーは、前記液晶モジュールの後面と前記バックケースの前面との間に形成されることを特徴とする、請求項２０に記載のディスプレイ装置。
【請求項２３】
前記ディスプレイ装置内のガスの循環は、ガスが前記第１のチャンバーから前記第２のチャンバーに流動する第１の流動方向；及び
ガスが前記第２のチャンバーから前記１のチャンバーに流動する第２の流動方向；を含むことを特徴とする、請求項２０に記載のディスプレイ装置。
【請求項２４】
画像を表示する液晶モジュール；
前記液晶モジュールを制御する少なくとも一つの回路基板；
前記液晶モジュールと前記少なくとも一つの回路基板を収容し、密閉されることによってガスの循環を防止するケース；及び
前記ケースの内部で２つのループに沿うガスの流動を形成する冷却装置；を含むことを特徴とするディスプレイ装置。
【請求項２５】
前記ケースの表面には熱輻射増大コーティングが行われることを特徴とする、請求項２４に記載のディスプレイ装置。
【請求項２６】
ディスプレイ装置ハウジングは、内部にメインチャンバーを形成するケースと、冷却装置と、を含み、
前記ケースは、複数の側壁を含み、開放された前面及び後面を有するフロントケースと、
前記フロントケースの開放された後面に結合及び密閉されるバックケースと、
前記フロントケースの開放された前面に結合及び密閉される保護ガラスと、を含み、
前記冷却装置は、前記メインチャンバーをその内部に配置された第１のチャンバーとその外部に配置された第２のチャンバーとに区画するフレームと、
前記第１のチャンバーと前記第２のチャンバーとの間の空気の循環を発生させる少なくとも一つの送風ファンと、を含むことを特徴とするディスプレイ装置ハウジング。
【発明の詳細な説明】
【技術分野】
【０００１】
各実施例は、室外領域に設置される密閉型ディスプレイ装置に関する。
【背景技術】
【０００２】
一般に、ディスプレイ装置は、例えば、テレビ、コンピューター用モニター又はデジタル情報ディスプレイなどのように画像を形成する装置である。
【０００３】
特に、広告及び情報を提供するために使用されるデジタル情報ディスプレイ（ＤＩＤ、Ｄｉｇｉｔａｌ  Ｉｎｆｏｒｍａｔｉｏｎ  Ｄｉｓｐｌａｙ）は、内部に高性能ＣＰＵを含むコンピューターシステムを備えており、高輝度の液晶モジュールを使用するので、多くの熱を発生させる。したがって、デジタル情報ディスプレイの長期的な信頼性を保証するためには放熱が要求される。
【０００４】
一方、デジタル情報ディスプレイは、室外領域で使用されるように配置されるとき、湿気や埃などの異物がデジタル情報ディスプレイの本体の内部に浸透することを防止するためにケースが高水準で密閉される。
【０００５】
しかし、このようにケースが高水準で密閉される場合、ケースの内部と外部との間の空気循環を阻害するので、ケースの内部と外部との間の空気循環を通して発熱体を放熱させる方式を使用することが難しい。
【発明の概要】
【発明が解決しようとする課題】
【０００６】
一つ以上の各実施例は、高水準の密閉条件を満足しながら十分な冷却性能を備えるディスプレイ装置を提供する。
【課題を解決するための手段】
【０００７】
一実施例の一側面によると、ディスプレイ装置は、液晶モジュール、少なくとも一つの回路基板、ケース、フレーム及び送風ファンを含む。前記液晶モジュールは、画像を表示する液晶パネルを含む。前記少なくとも一つの回路基板は、前記液晶モジュールの後方に配置され、前記液晶パネルの動作を制御する。前記ケースは、前記液晶モジュールと前記少なくとも一つの回路基板を収容し、前記ケースによって形成されたメインチャンバー内に前記液晶モジュールと前記少なくとも一つの回路基板が密閉される。前記フレームは、前記チャンバーを第１のチャンバーと第２のチャンバーとに区画するために前記チャンバー内に備えられる。前記送風ファンは、前記フレーム上に備えられ、ガスを前記第１のチャンバーと前記第２のチャンバーとの間に流動させる。
【０００８】
前記ケースは、フロントケース及びバックケースを含む。前記フロントケースは、開放された前面と後面を有し、前記バックケースは、前記フロントケースの開放された後面に結合される。前記フロントケースは、前記の開放された後面の枠に沿って形成された第１の結合部を含み、前記第１の結合部によって前記バックケースが前記フロントケースに結合される。前記第１の結合部と前記バックケースは、第１のシーリング部材によって互いに密閉される。
【０００９】
前記ディスプレイ装置は、前記液晶モジュールを保護するために前記液晶モジュールの前方に配置された保護ガラスをさらに含む。
【００１０】
前記フロントケースは、前記保護ガラスの前面の枠に結合される第１のフロントケースと、前記フロントケースの側面部を形成し、前記第１のフロントケースに結合される第２のフロントケースとを含む。前記保護ガラスと前記第１のフロントケースは、第２のシーリング部材によって互いに密閉される。
【００１１】
前記フレームは、内部が空のモールドフレームである。前記フレームは、少なくとも二つの横フレーム部と、前記各横フレーム部より長く形成された少なくとも二つの縦フレーム部とを含む。前記フレームは、前記フレーム内に配置された前記第１のチャンバーと、前記フレームの外部に配置された前記第２のチャンバーとに区画する。前記第１のチャンバー内の各要素は、前記第２のチャンバー内の各要素よりも多量の熱を発生させる。
【００１２】
前記フレームは、前記液晶モジュールの後面に接する基板装着部を含み、前記基板装着部は、前記液晶モジュールの後面を露出させる少なくとも一つの開口部を含む。
【００１３】
前記送風ファンは、第１の送風ファン及び第２の送風ファンを含む。前記第１の送風ファンは、第１の横フレーム部上に配置され、ガスを前記第１のチャンバーから前記第２のチャンバーに流動させる。前記第２の送風ファンは、第２の横フレーム部上に配置され、ガスを前記２のチャンバーから前記第１のチャンバーに流動させる。前記第１の送風ファン及び第２の送風ファンは、それぞれ少なくとも一つの軸流ファンを含む。
【００１４】
また、前記流体の流動は、複数のループを形成する。前記複数のループは、前記流体が第１の方向に回転する第１のループと、前記流体が前記第１の方向と反対の第２の方向に回転する第２のループとを含む。
【００１５】
前記チャンバーは、ＩＰ６６以上の等級で密閉される。
【００１６】
前記ケースは、金属を用いて形成される。
【００１７】
他の実施例の一側面によると、ディスプレイ装置は、フロントケース、バックケース、保護ガラス、第１のシーリング部材、第２のシーリング部材及び冷却装置を含む。前記フロントケースは、複数の側壁を含み、開放された前面及び後面を含む。前記バックケースは、前記フロントケースの開放された後面に結合される。前記保護ガラスは、前記フロントケースの開放された前面に結合される。前記フロントケース、前記バックケース及び前記保護ガラスは、共にメインチャンバーを形成する。画像を表示する液晶モジュールと前記液晶モジュールの動作を制御する少なくとも一つの回路基板は、メインチャンバー内に配置される。前記第１のシーリング部材は、前記フロントケースと前記バックケースとの間に備える。前記第２のシーリング部材は、前記フロントケースと前記保護ガラスとの間に備える。前記冷却装置は、前記メインチャンバーを前記メインチャンバーの中心部に配置された第１のチャンバーと、前記第１のチャンバーの周囲に配置された第２のチャンバーとに区画し、ガスを前記第１のチャンバーと前記第２のチャンバーとの間に循環させる。
【００１８】
前記少なくとも一つの回路基板は、前記第１のチャンバー内に配置される。
【００１９】
前記冷却装置は、前記メインチャンバー内でのガスの流動をガイドするフレームと、前記ガスの流動を発生させるように前記フレーム上に配置された送風ファンとを含む。
【００２０】
前記フレームは、前記液晶モジュールの後面と前記バックケースの前面との間に配置され、前記液晶モジュールの後面と前記バックケースの前面に接する。
【００２１】
前記第１のチャンバーと前記第２のチャンバーは、前記液晶モジュールの後面と前記バックケースの前面との間に形成される。
【００２２】
前記ディスプレイ装置内でのガスの循環は、ガスが前記第１のチャンバーから前記第２のチャンバーに流動する第１の流動方向と、ガスが前記第２のチャンバーから前記第２のチャンバーに流動する第２の流動方向とを含む。
【００２３】
他の実施例の一側面によると、ディスプレイ装置は、液晶モジュール、少なくとも一つの回路基板、ケース及び冷却装置を含む。前記液晶モジュールは画像を表示する。前記少なくとも一つの回路基板は前記液晶モジュールを制御する。前記ケースは、前記液晶モジュールと前記少なくとも一つの回路基板を収容し、前記ケースが密閉されることによってガスの循環を防止する。前記冷却装置は、前記ケースの内部で２つのループに沿うガスの流動を形成する。
【００２４】
前記ケースの表面には、熱輻射増大コーティングが行われる。
【発明の効果】
【００２５】
一つ以上の各実施例に係るディスプレイ装置は、密閉ケースの内部での対流を可能にするので、ホットスポット（Ｈｏｔ  Ｓｐｏｔ）が局部的に形成されることが防止される。さらに、前記ケース内部の発熱体から発生する熱は、対流を用いて前記ケースを通して外部に容易に放出される。
【００２６】
回路基板を含む発熱体は、ケースの中央部に密に配置され、送風ファンは、発熱体の上端部と下端部にそれぞれ設置されるので、発熱体に強い流動を提供し、冷却効率が向上する。
【００２７】
さらに、このような構造によって液晶モジュールが流動に接するので、発熱体のみならず、液晶モジュールも冷却される。
【図面の簡単な説明】
【００２８】
【図１】一実施例に係るディスプレイ装置を示した斜視図である。
【図２】図１のディスプレイ装置を示した分解斜視図である。
【図３】図１のディスプレイ装置の冷却構造を説明するために使用される図である。
【図４】図１のディスプレイ装置の冷却装置を示した図である。
【図５】図１のＡ―Ａ線断面図である。
【図６】図１のＢ―Ｂ線断面図である。
【図７】図６の一部の拡大図である。
【発明を実施するための形態】
【００２９】
以下、図面を参照して各実施例を詳細に説明する。
【００３０】
図１は、一実施例に係るディスプレイ装置を示した斜視図で、図２は、図１のディスプレイ装置を示した分解斜視図である。図１及び図２に示したディスプレイ装置１の説明において、図面の上側はディスプレイ装置１の後面を示し、図面の下側はディスプレイ装置１の前面を示す。
【００３１】
図１及び図２に示したように、一実施例に係るディスプレイ装置１は、画像を表示する液晶モジュール４０と、ディスプレイ装置１の外面を形成するケース１０と、保護ガラス１１と、液晶モジュール４０を制御する少なくとも一つの回路基板５０と、液晶モジュール４０及び回路基板５０から発生する熱を冷却するための冷却装置７０とを含む。
【００３２】
液晶モジュール４０は、ディスプレイ装置１の表示領域に該当する液晶パネルと、液晶パネルに光を供給するために液晶パネルの後面に配置されるバックライトユニットと、液晶パネルとバックライトユニットを収容して支持するサッシとを含む。バックライトユニットの光源は、冷陰極蛍光ランプ（ＣＣＦＬ）、外部電極蛍光ランプ（ＥＥＦＬ）又はＬＥＤであり得る。
【００３３】
ディスプレイ装置１には、液晶モジュール４０を作動させるために使用される信号を印加する少なくとも一つの回路基板５０が設置される。回路基板５０上には、互いに情報を交換しながら機能を行うＣＰＵ及びＳＭＰなどの多様な制御手段が装着され、このような制御手段は発熱体である。
【００３４】
少なくとも一つの回路基板５０は、図３を参照して後で説明するが、第１のチャンバー内に設置されるものとして示されている。すなわち、ほとんどの発熱体は第１のチャンバー６１内に設置されると理解することができる。
【００３５】
ケース１０は、液晶モジュール４０と回路基板５０を収容し、ディスプレイ装置１の外面を形成する。ケース１０は、開放された前面と後面を有する略ボックス状に備えられたフロントケース２０と、フロントケース２０の開放された後面に結合される板状のバックケース３０とを含む。フロントケース２０とバックケース３０は、両方とも、ケース１０の内部と外部との間の空気が通過可能な通気孔を含まない。そのため、フロントケース２０、バックケース３０及び保護ガラス１１は、共にケース１０の内部を密閉する。バックケース３０には、防水コネクターが連結される防水コネクター収容部３１が備えられる。
【００３６】
フロントケース２０は、保護ガラス１１の前面の枠に結合された第１のフロントケース２１と、第１のフロントケース２１に結合され、フロントケース２０の側面部を形成する第２のフロントケース２２とを含む。
【００３７】
図７を参照すると、第２のフロントケース２２には、第２のフロントケース２２がバックケース３０に結合されるように、フロントケース２０の開放された後面の枠に沿って形成された第１の結合部２３が備えられる。第１の結合部２３とバックケース３０は、締結部材Ｓによって互いに堅固に結合される。第１の結合部２３とバックケース３０との間には、第１の結合部２３とバックケース３０が互いに密閉されるように、ゴム又は他の適切な材質を用いて形成された第１のシーリング部材１２が介入する。
【００３８】
また、第２のフロントケース２２には、第２のフロントケース２２が第１のフロントケース２１に結合されるように、フロントケース２０の開放された前面の枠に沿って形成された第２の結合部２４がさらに備えられる。第２の結合部２４と第１のフロントケース２１は締結部材Ｓによって互いに堅固に結合される。
【００３９】
保護ガラス１１は、第１のフロントケース２１と第２の結合部２４との間に挿入されて固定される。また、保護ガラス１１と第１のフロントケース２１との間には、保護ガラス１１と第１のフロントケース２１が互いに密閉されるように、ゴム又は他の適切な材質を用いて形成された第２のシーリング部材１３が介入する。
【００４０】
このような構造により、ケース１０の内部が高水準で密閉される。特に、このような構造により、水と固形物の侵入に対する密閉規格であるＩＰ６６以上の等級でケース１０の内部が密閉される。
【００４１】
一方、この実施例によると、ケース１０内部の熱は、ケース１０を通して伝達されながら外部に放出される。したがって、ケース１０は、熱伝導率の高い金属を用いて形成される。さらに、ケース１０の表面に熱輻射増大コーティングが行われ、熱輻射量が増加し、冷却効率が向上する。
【００４２】
再び図２を参照すると、ディスプレイ装置１の冷却装置７０は、空気の流動を発生させるように構成された送風ファン９０と、空気の流動をガイドするように構成されたフレーム８０とを含む。
【００４３】
冷却装置７０は、ケース１０内部の密閉空間上に配置される。密閉空間は、液晶モジュール４０の後面、バックケース３０の前面、フロントケース２０の内面によって形成された空間を示す。以下では、密閉空間をチャンバー６０（図３を参照）という。上述したように、チャンバー６０は、高水準で密閉された空間である。冷却装置７０については後で詳細に説明する。
【００４４】
図３は、図１のディスプレイ装置の冷却構造を説明するために使用された図で、図４は、図１のディスプレイ装置の冷却装置を示した図である。図５は、図１のＡ―Ａ線断面図で、図６は、図１のＢ―Ｂ線断面図である。
【００４５】
図１ないし図６を参照すると、フレーム８０は、チャンバー６０をフレーム８０内部の第１のチャンバー６１と、フレーム８０外部の第２のチャンバー６２とに区画するためにチャンバー６０内に配置される。
【００４６】
一方、第１のチャンバー６１での発熱量を第２のチャンバー６２での発熱量より大きくするために、少なくとも一つの回路基板５０のほとんどは第１のチャンバー６１内に配置される。このような配置は、第１のチャンバー６１内に集められた発熱体を集中的に冷却するという利益を提供し、冷却の效率を高める。
【００４７】
フレーム８０は、開放された前面を有し、内部が空のモールドフレーム状に備えられる。フレーム８０は、２つの横フレーム部８１、８２と、２つの縦フレーム部８３、８４とを含み、４つのフレーム部８１、８２、８３、８４は、フレーム８０の側面部を形成する。この実施例によると、縦フレーム部８３、８４は、横フレーム部８１、８２より長く形成される。
【００４８】
縦フレーム部８３、４３の外側には、フレーム８０と液晶モジュール４０とを結合するための締結孔が形成された複数の液晶モジュール結合部８７が備えられる。横フレーム部８１、８２と縦フレーム部８３、８４は、第１のチャンバー６１内部の空気又は他のガスが第２のチャンバー６２内部の空気と分離されるように、液晶モジュール４０の後面とバックケース３０の前面との間に配置される。横フレーム部８１、８２と縦フレーム部８３、８４は、液晶モジュール４０の後面とバックケース３０の前面に密着する。
【００４９】
一方、フレーム８０内には基板装着部８５が備えられる。基板装着部８５は、液晶モジュール４０の後面に隣接しながら板状に備えられる。基板装着部８５は、液晶モジュール４０から発生する熱を第１のチャンバー６１内に放出するように液晶モジュール４０の後面を露出させる開口部８６を有する。このような構成により、送風ファン９０の作動時に液晶モジュール４０が空気の流動と接するので、液晶モジュール４０も回路基板５０と共に冷却される。
【００５０】
送風ファン９０は、チャンバー６０内部の空気を対流させるように構成される。送風ファン９０によって発生した空気の流動は、フレーム８０によってガイドされながら第１のチャンバー６１と第２のチャンバー６２との間に循環される。このような流動により、空気が第１のチャンバー６１内で回路基板５０から熱を吸収し、吸収した熱を第２のチャンバー６２内でバックケース３０に放出することによって、ディスプレイ装置１を冷却させる。すなわち、送風ファン９０によって発生した空気の流動は、回路基板５０から熱を吸収するための第１の流動と、吸収した熱をバックケース３０に放出するための第２の流動とを含む。
【００５１】
送風ファン９０は、複数の送風ファンを含むことができる。この実施例によると、送風ファン９０は、流動を増加し、冷却効率を向上させるために第１の送風ファン９１及び第２の送風ファン９２を含む。
【００５２】
第１の送風ファン９１は、第１のチャンバー６１から第２のチャンバー６２に空気を流動させるために横フレーム部８１上に備えられ、第２の送風ファン９２は、第２のチャンバー６２から第１のチャンバー６１に空気を流動させるために横フレーム部８２上に備えられる。
【００５３】
送風ファン９０は、軸方向に空気を流動させる軸流ファンの形態で備えられる。第１の送風ファン９１は３つの軸流ファン９３、９４、９５を含み、第２の送風ファン９２は３つの軸流ファン９６、９７、９８を含む。第１の送風ファン９１と第２の送風ファン９２に含まれる軸流ファンの個数は変化可能である。
【００５４】
チャンバー６０内部の空気は、送風ファン９０を通して第１のチャンバー６１と第２のチャンバー６２との間に循環し、特に、図３に示したように、ループＡ及びループＢを含む二つのループに沿って循環する。ループＡの空気の流動は、ループＢの空気の流動と反対方向に回転するように形成される。上述したように、冷却装置７０は、チャンバー６０の内部に２つの循環ループを形成することによって、ディスプレイ装置１の局部的な過熱を効率的に防止し、ディスプレイ装置１の内部及び表面の温度を均一に維持させる。
【００５５】
各実施例が図示及び説明されたが、この技術分野で熟練した者なら、発明思想の概念及び精神、請求項及びその均等物で定義された範囲から逸脱しない限り、これらの実施例が変更可能であることを理解できるだろう。
【符号の説明】
【００５６】
１    ディスプレイ装置
１０  ケース
１１  保護ガラス
１２  第１のシーリング部材
１３  第２のシーリング部材
２０  フロントケース
２１  第１のフロントケース
２２  第２のフロントケース
２３  第１の結合部
２４  第２の結合部
３０  バックケース
３１  防水コネクター収容部
４０  液晶モジュール
５０  回路基板
６０  チャンバー
６１  第１のチャンバー
６２  第２のチャンバー
７０  冷却装置
８０  フレーム
８１、８２  横フレーム部
８３、８４  縦フレーム部
８５  基板装着部
８６  開口部
８７  液晶モジュール結合部
９０  送風ファン
９１  第１の送風ファン
９２  第２の送風ファン
９３、９４、９５、９６、９７、９８  軸流ファン
Ａ    第１のループ
Ｂ    第２のループ
Ｓ    締結部材
【図１】
2014512024.tif 000003
【図２】
2014512024.tif 000004
【図３】
2014512024.tif 000005
【図４】
2014512024.tif 000006
【図５】
2014512024.tif 000007
【図６】
2014512024.tif 000008
【図７】
2014512024.tif 000009
【国際調査報告】
2014512024.tif 000010
2014512024.tif 000011